(57)【要約】      （修正有）【課題】コーヒー抽出時の水分を含んだコーヒー粉の膨らみにより、コーヒードリッパーの内壁に濾過用部材が押されることで濾過面を妨げる現象を無くし、さらに、空気抜けを自由に確保することで、従来のコーヒードリッパーのリブ構造よりも濾過能力を大幅に改善でき、コーヒー粉にお湯が触れている時間を飲み手の嗜好に合わせ、自由に調整することができるコーヒードリッパーを提供する。【解決手段】上方に開放する円形の開口部１８と、下方に開放する開口部１８よりも径の小さい抽出用開口部２０とを備える円錐状の本体部１２を有し、本体部１２の内周には、濾過用部材（ペーパーフィルター２６等）との間に空間を形成するための複数のリブ２２が形成されているコーヒードリッパー１０であって、複数のリブ２２は、下方から上方に向かって相互間隔が漸次広がっていく波形状に配置されるように構成する。【選択図】図１
0003193260.tif 000002
【実用新案登録請求の範囲】
【請求項１】
上方に開放する円形の開口部と、下方に開放する前記開口部よりも径の小さい抽出用開口部とを備える円錐状の本体部を有し、当該本体部の内周壁には、濾過用部材との間に空間を形成するための複数のリブが形成されているコーヒードリッパーであって、
前記複数のリブは、下方から上方に向かって相互間隔が漸次広がっていく波形状に配置されていることを特徴とするコーヒードリッパー。
【請求項２】
前記複数のリブは、それぞれ前記本体部の下端付近から上端付近まで連続して配置されていることを特徴とする請求項１記載のコーヒードリッパー。
【請求項３】
前記複数のリブの上部相互間に、前記本体部の上端付近から下端付近に至らない長さで、前記リブの波形に沿うように形成された波形状の短リブがそれぞれ配置されていることを特徴とする請求項２記載のコーヒードリッパー。
【考案の詳細な説明】
【技術分野】
【０００１】
本考案は、円錐筒形の濾過用部材（例えば、ペーパーフィルター等）を使用してコーヒーを抽出する漏斗型のコーヒードリッパーに関するものである。
【背景技術】
【０００２】
コーヒーを抽出するためには、コーヒー粉と、抽出されたコーヒー液を濾過するフィルターが必要不可欠であり、フィルターホルダーの形状によって、抽出能力の差が出て、コーヒー豆本来の味が、その都度ばらついてしまう。また、従来から用いられている扇形のフィルター用のフィルターホルダーは、内壁面に形成されているリブが縦一方向で、一定の高さを維持しているため、フィルターが内壁面に密着しやすいという問題がある。
【０００３】
そこで、例えば、特許文献１にある、上方に開放する円形の広い上部開口と下方に開放する円形の狭い抽出開口を備えた円錐筒状の本体を有し、この本体の内周には、濾紙との間に空間を形成するための複数のリブが形成されているコーヒードリッパーが用いられている。さらに、このコーヒードリッパーは、その各リブが、直線状に本体の下端から、その高さの半分に至らない位置まで上下方向に伸び、相互間隔が下方に向かって縮小しており、且つ、その隆起高さを下方に向かって除々に高くなるように、或いは、一定の高さを保つように構成されているものとされている。
【０００４】
上記特許文献１記載のコーヒードリッパーにおいては、リブが直線状であることと、それが本体の下端からその中間部付近までしか延長していないことから、コーヒーを抽出する際に、水分を吸収して張りを失った濾紙の上部が、不均一にドリッパー本体の内周に密着し、通気が不均一に阻害されることになり、その結果、コーヒー粉の蒸らしが均一且つ、円滑に行われず、抽出されるコーヒーの風味が損なわれるといった問題が指摘されていた。
【０００５】
そこで、例えば、特許文献２にあるように、上方に開放する円形の広い上部開口と下方に開放する円形の狭い抽出開口を備えた円錐筒状の本体を有し、この本体の内周には、濾紙との間に空間を形成するための複数のリブが形成されているコーヒードリッパーにおいて、前記複数のリブが、下方から上方に向かって相互間隔が広がる螺旋状に配置され、かつそれぞれ下方に向かうにしたがって本体の内側に順次高くなるように隆起している、或いは、一定の高さで隆起しているコーヒードリッパーが開発されている。そして、このコーヒードリッパーによれば、濾紙がドリッパー本体の内周に密着せず、通気が良好に行われ、抽出されるコーヒーの風味が損なわれないとされている。
【先行技術文献】
【特許文献】
【０００６】
【特許文献１】実公昭５８−１１３１２号公報
【特許文献２】実用新案登録第３１１６２１９号公報
【考案の概要】
【考案が解決しようとする課題】
【０００７】
しかしながら、上記特許文献２にあるコーヒードリッパーは、螺旋状（渦状）のリブ構造を呈するものであるため、ペーパーフィルター等が、螺旋状（渦状）の曲がりに同化してしまい、壁面への接触が広くなってしまう。その結果、コーヒードリッパーの内壁に密着する状態が多くなり、濾過がうまく出来ず、また、空気抜けが悪いことから窒息状態となり、抽出時間のばらつきでコーヒーの味に影響を及ぼしてしまうことが分かっている。
【０００８】
焙煎度、粉の粒子、杯数毎の粉の分量、そして、湯量や湯温を一定のものとして、同一のコーヒー豆を抽出する場合、コーヒー本来の味に一番影響するのは、粉がお湯に触れている時間と、抽出過多である。つまり、粉がお湯に触れている時間の長さで、味の薄さ、濃さが変わり、そして、抽出過多となると、エグミや雑味が出やすくなってしまうため、上記のような問題を改善することが必要であると認識されてきていた。
【０００９】
本考案は、上述の課題を解決するためのもので、コーヒードリッパーの内壁面全体へ波形状のリブを配置することにより、内側に挿置する濾過用部材（ペーパーフィルター等）を内壁面から浮かせ、濾過用部材のコーヒードリッパー内壁面への密着を防ぎ、コーヒー抽出時、水分を含んだコーヒー粉の膨らみにより、濾過用部材がコーヒードリッパーの内壁に押されて、濾過面が妨げられるといった現象を無くし、さらに、空気抜けを自由に確保することで、従来のコーヒードリッパーのリブ構造よりも濾過能力を大幅に改善でき、コーヒー粉にお湯が触れている時間を飲み手の嗜好に合わせ、自由に調整することができるコーヒードリッパーを提供することにある。
【課題を解決するための手段】
【００１０】
上記課題に対応するため、本考案は、以下の技術的手段を講じている。
即ち、請求項１記載の考案は、上方に開放する円形の開口部と、下方に開放する前記開口部よりも径の小さい抽出用開口部とを備える円錐状の本体部を有し、当該本体部の内周壁には、濾過用部材との間に空間を形成するための複数のリブが形成されているコーヒードリッパーであって、前記複数のリブは、下方から上方に向かって相互間隔が漸次広がっていく波形状に配置されていることを特徴とするコーヒードリッパーである。
【００１１】
また、請求項２記載の考案は、請求項１記載のコーヒードリッパーであって、前記複数のリブは、それぞれ前記本体部の下端付近から上端付近まで連続して配置されていることを特徴としている。そして、請求項３記載の考案は、請求項２記載のコーヒードリッパーであって、前記複数のリブの上部相互間に、前記本体部の上端付近から下端付近に至らない長さで、前記リブの波形に沿うように形成された波形状の短リブがそれぞれ配置されていることを特徴としている。
【考案の効果】
【００１２】
本考案によれば、波形状のリブが、濾過用部材（ペーパーフィルター等）の一定方向への曲がりくせを戻す反発を生じさせるため、コーヒードリッパー内壁への接触がより少なく、また、波形状のリブにより、リブ間の隙間を保つことができるため、濾過用部材であるペーパーフィルター、布のフィルター等がコーヒードリッパー内壁への密着することを防ぎ、コーヒーの味を飲み手の嗜好に合わせ自由に抽出可能とすることができる。
【図面の簡単な説明】
【００１３】
【図１】本考案に係るコーヒードリッパーの実施形態を示すもので、（ａ）は平面図、（ｂ）はＡ−Ａ断面図である。
【考案を実施するための形態】
【００１４】
以下、本考案に係るコーヒードリッパーの実施形態について、図面を参照して説明する。
図１は、本考案に係るコーヒードリッパーの実施形態を示すもので、（ａ）は平面図、（ｂ）はＡ−Ａ断面図である。符号については、１０はコーヒードリッパー、１２は本体部、１４は取っ手、１６は鍔部、１８は開口部、２０は抽出用開口部、２２はリブ、２４は短リブ、２６はペーパーフィルター（濾過用部材）、２８はコーヒー容器を示している。
【００１５】
まず、コーヒードリッパー１０には、図１（ａ）に示すように、上方からペーパーフィルター２６を挿置可能とする本体部１２と、本体部１２の側面に設けられている取っ手１４と、コーヒー容器２８の上に載置する鍔部１６を備えている。そして、本体部１２は、上方に開放する円形の開口部１８と、下方に開放する開口部１８よりも径の小さい抽出用開口部２０とを備え、内周には、ペーパーフィルター２６との間に空間を形成するための複数のリブ２２、短リブ２４が配置されている。
【００１６】
また、複数のリブ２２は、下方から上方に向かって相互間隔が漸次広がっていく波形状に配置されている。このように、構成されているため、リブが、ペーパーフィルター等の一定方向への曲がりくせを戻す反発を生じさせるため、コーヒードリッパー内壁への接触がより少なく、また、リブ間の隙間を保つことができるため、ペーパーフィルター、布のフィルター等がコーヒードリッパー内壁への密着することを防ぎ、コーヒーの味を飲み手の嗜好に合わせ自由に抽出可能とすることができるようになるわけである。
【００１７】
なお、本実施形態では、複数のリブ２２は、本体部１２の下端付近から上端付近まで連続して配置されており、さらに、複数のリブ２２の上部相互間に、本体部１２の上端付近から下端付近に至らない長さで、複数のリブ２２の波形に沿うように形成された波形状の短リブ２４がそれぞれ配置されている。なお、短リブ２４は、上部において過大に広がった複数のリブ２２の相互間隔内に配置され、ペーパーフィルター２６が上部において本体部１２の内壁と密着するのを防止するものである。また、複数のリブ２２が、その下端において抽出用開口部２０の中心方向へ突出するように配置されていることから、ペーパーフィルターがコーヒー抽出時に膨張することによる抽出用開口部２０への密着を防止することが可能となっている。
【００１８】
本実施形態によれば、図１（ｂ）に示すように、コーヒードリッパー１０に用いられるペーパーフィルター２６は、円錐形状に形成されており、コーヒードリッパー１０の本体部１２に挿置する際に、先端が抽出用開口部２０から下方へ突出するようになっている。そして、コーヒーを抽出させる際には、鍔部１６をコーヒー容器２８の開口周縁に載置させることで、コーヒードリッパー１０を安定させるようにする。
【００１９】
また、本体部１２の内壁の円周方向と、上下方向の全体に沿って、複数のリブ２２及び短リブ２４が配置されているが、この配置により、ペーパーフィルター２６と、本体部１２の内壁との間に空間が形成され、コーヒーを抽出する際に、ペーパーフィルター２６全体に均一な通気性が確保され、濾過を全体で均一に行うことができ、その結果、風味の良好なコーヒーを抽出することができるようになるわけである。
【符号の説明】
【００２０】
１０  コーヒードリッパー
１２  本体部
１４  取っ手
１６  鍔部
１８  開口部
２０  抽出用開口部
２２  リブ
２４  短リブ
２６  ペーパーフィルター
２８  コーヒー容器
【図１】
0003193260.tif 000003